(57)【要約】【課題】従来の空気清浄装置によっては、遊技者は、遊技中に疲れやストレス及び眠気などを解消することが出来ず、隣の遊技者の煙草の煙などで健康的でないと感じていた。【解決手段】マイナスイオン発生手段１３内部でコロナ放電１５が発生すると、コロナ放電１５近傍の酸素１８がイオン化されて負に帯電し、これと空気中の水分１９とが結合してマイナスイオン１９ａが生成される。生成されたマイナスイオン１９ａは、電源部１４内の送風機によってキャンセルシュート１２内部に流出し、キャンセルシュート１２により払出口５まで導かれて、この払出口５から外部に向けて放出される。このとき、マイナスイオン１９ａは遊技者のほぼ正面に向けて効率よく放出される。【選択図】　図２
2004065277.tif 000002
【特許請求の範囲】
【請求項１】
マイナスイオンを空気中に発生するマイナスイオン発生手段を機器本体内部に内蔵していることを特徴とする遊技機。
【請求項２】
前記マイナスイオン発生手段は、高電圧が印加された電極間に生じるコロナ放電を用いて前記マイナスイオンを発生することを特徴とする請求項１に記載の遊技機。
【請求項３】
回胴式遊技機において、前記マイナスイオン発生手段は適合しない遊技媒体を払出口に導くキャンセルシュートに備えられており、前記マイナスイオン発生手段により発生する前記マイナスイオンを前記払出口から放出することを特徴とする請求項１または請求項２に記載の遊技機。
【請求項４】
弾球遊技機において、前記マイナスイオン発生手段は遊技媒体を貯留する皿の内部に備えられていることを特徴とする請求項１または請求項２に記載の遊技機。
【請求項５】
前記皿は遊技盤面の直下に設けられた上皿であり、この上皿の表面に前記マイナスイオンを放出する吹出口を備えていることを特徴とする請求項４に記載の遊技機。
【発明の詳細な説明】
【０００１】
【発明の属する技術分野】
本発明は遊技機に関するものである。
【０００２】
【従来の技術】
従来から、パチンコ店では狭いスペースに多数の遊技機が並べられており、遊技者がこのような場所で長時間遊技していると、ストレスが蓄積しがちであった。また、狭い空間で同じ姿勢を持続することを健康的でないと感じる遊技者は少なくなかった。空気清浄機が無かったり、空気清浄機があってもそれが十分に機能していないパチンコ店では、ストレスが蓄積したり、また、健康的でないと感じるこの傾向はさらに強かった。
【０００３】
このようなパチンコ店の環境を改善するものとして、特開平１０−２９５９１７号公報にパチンコ遊技者用空気清浄装置付呼出ランプが開示されている。この呼出ランプには、外気を吸引するシロッコファンと吸引した外気を清浄化する空気清浄装置とが設けられている。シロッコファンによって吸引された煙草の煙などの粉塵粒子は、空気清浄装置内に設けられたイオナイザユニットで生成されるマイナスイオンによって負極性に帯電され、正極性の集塵電極によって吸着捕集されてパチンコ店内の空気は清浄化される。
【０００４】
また、特開平９−１２２３４８号公報には、パチンコ台の上方に位置する幕板部に設けられる、イオン化線を備えた電子式空気清浄機構が開示されている。このイオン化線の近傍には塵などを吸着する集塵紙が設けられており、イオン化線と集塵紙との間に電位差が生じることでマイナスイオンが発生する。塵などはこのイオン化線で生成されるマイナスイオンによって負極性に帯電され、正極性の集塵紙に吸着捕集されてパチンコ店内の空気は清浄化される。
【０００５】
また、実開平６−５６８７号公報に開示されているパチンコ台用空気清浄機は、送風機と放電極と集塵電極とを備えてパチンコ台の上部に配置されて構成されており、空気排出口と空気吸込口とが形成されている。送風機により空気吸込口を介して空気清浄機内部に吸い込まれたパチンコ店内の空気中の塵埃や煙は、放電極と集塵電極との間のコロナ放電によって分解及び脱臭殺菌され、負極性に帯電されて正極性の集塵電極に捕集される。こうして清浄化された空気は空気排出口より放出される。
【０００６】
【発明が解決しようとする課題】
しかしながら、上記の各空気清浄装置は、煙草の煙といった粉塵粒子などをマイナスイオンによって負極性に帯電させ、正極性の集塵電極に捕集して空気を清浄化するだけのものであり、遊技者は、遊技中に疲れやストレス及び眠気などを解消することが出来ずにいた。
【０００７】
また、上記の各空気清浄装置はパチンコ台上方の幕板部に設けられているため、遊技者が煙草を吸っていると、その煙が隣の遊技者の方に流れ込んでいくことがあり、隣の遊技者は健康的でないと感じていた。
【０００８】
【課題を解決するための手段】
本発明はこのような課題を解決するためになされたもので、マイナスイオンを空気中に発生するマイナスイオン発生手段を遊技機の機器本体内部に内蔵していることを特徴とする。
【０００９】
この構成によれば、遊技者はマイナスイオン発生手段を内蔵した遊技機に対面して遊技を行うため、呼吸の度にマイナスイオンを含んだ空気を吸い込むことになる。現在、マイナスイオンを多く含んだ空気を吸い込むと血液中の酸素濃度が増加すると共に、眠気や疲労を助長する神経伝達物質「セロトニン」が減少すると考えられている。
【００１０】
また、本発明は、マイナスイオン発生手段が、高電圧が印加された電極間に生じるコロナ放電を用いてマイナスイオンを発生することを特徴とする。
【００１１】
この構成によれば、マイナスイオン発生手段は、コロナ放電方式を用いることで他の方式によるマイナスイオン発生手段よりもコンパクトになる。
【００１２】
また、本発明は、回胴式遊技機において、マイナスイオン発生手段が、適合しない遊技媒体を払出口に導くキャンセルシュートに備えられており、マイナスイオン発生手段により発生するマイナスイオンを払出口から放出することを特徴とする。
【００１３】
この構成によれば、既存の回胴式遊技機のキャンセルシュートにマイナスイオン発生手段を取り付けることで、マイナスイオン発生手段及び吹出口を備える回胴式遊技機を簡単に製作することが出来る。また、払出口は一般的に遊技者の前面下方に位置するため、マイナスイオンは、払出口から遊技中の遊技者のすぐ前に流出してくる。
【００１４】
また、本発明は、弾球遊技機において、マイナスイオン発生手段が遊技媒体を貯留する皿の内部に備えられていることを特徴とする。
【００１５】
この構成によれば、既存の弾球遊技機の皿にマイナスイオン発生手段を取り付けることで、マイナスイオン発生手段を備える弾球遊技機を簡単に製作することが出来る。
【００１６】
また、本発明は、皿が遊技盤面の直下に設けられた上皿であり、この上皿の表面にマイナスイオンを放出する吹出口を備えていることを特徴とする。
【００１７】
この構成によれば、上皿が遊技者の前面下方に位置するため、マイナスイオンは、吹出口から遊技中の遊技者のすぐ前に流出してくる。
【００１８】
【発明の実施の形態】
次に、本発明による遊技機をスロットマシンに適用した第１の実施形態について説明する。
【００１９】
図１は本実施形態によるスロットマシン１を示す斜視図である。
【００２０】
スロットマシン１はキャビネット２の内部に回転リール４や図示しないホッパ等を内蔵して構成されており、このキャビネット２の前部には、フロントドア３が開閉自在に設けられている。フロントドア３の正面側下部には、払出口５と、払出口５を介して遊技者に払い出されるメダルを貯留するメダル受け皿６と、遊技者の吸った煙草の灰が捨てられる灰皿７とが設けられている。また、メダル受け皿６の上部には、スロットマシン１のキャラクタ等が描かれた腰部パネル８が設けられている。また、フロントドア３の正面側上部には、回転リール４の外周に描かれた図柄を観察する窓３ａが備えられており、窓３ａには複数の入賞ラインが示されている。窓３ａの下部には、遊技媒体であるメダルを投入するメダル投入口９と、メダル投入後に回転リール４の回転移動を開始させるスタートレバー１０と、回転リール４の回転移動を停止させるストップボタン１１とが設けられている。
【００２１】
図２はフロントドア３の背面側を示す一部破断斜視図である。
【００２２】
フロントドア３の背面側には、メダルを払出口５に導くキャンセルシュート１２が備えられている。このキャンセルシュート１２は、メダル投入口９に挿入され、図示しないセレクタによって遊技に適合しないと判定されたメダルをキャンセルシュート１２内に導く開口部１２ａと、回転リール４の図柄が揃って入賞した時に払い出されるメダルを導く開口部１２ｂとを備えており、メダル受け皿６と払出口５を介してつながっている。
【００２３】
このキャンセルシュート１２の壁面には、マイナスイオンをキャンセルシュート１２内の空気中に発生するマイナスイオン発生手段１３が設けられている。払出口５は、マイナスイオン発生手段１３が発生するマイナスイオンをキャンセルシュート１２内からスロットマシン１本体の外部に放出する吹出口を形成している。
【００２４】
マイナスイオン発生手段１３はコロナ放電方式によりマイナスイオンを発生し、その内部構造は図３（ａ）に示される。電源部１４は、マイナスイオンを放出させるための送風機を有しており、針状の放電電極１５と円錐台形状の電極１６との間に高電圧を印加してコロナ放電１７を発生させる。
【００２５】
上記の構成において、遊技は、遊技者によってメダル投入口９にメダルが投入されることによって開始される。回転リール４は遊技者によるスタートレバー１０の操作に応じて回転し、窓３ａには回転リール４の図柄が列方向に回転移動表示される。遊技者は回転移動する図柄を観察しながらストップボタン１１を押して回転リール４の回転を停止させる。この停止時に、いずれかの入賞ライン上に所定の図柄組合せが揃うと入賞が発生し、その図柄組合せに応じた枚数のメダルが払出口５から払い出される。
【００２６】
このように遊技者がスロットマシン１で遊技している最中、マイナスイオン発生手段１３内部の両電極１５，１６間には、放電電極１５を負極、円錐台形状電極１６を正極にした直流高電圧が電源部１４によって印加されており、図３（ａ）に示されるコロナ放電１７が生じている。コロナ放電１７が生じると、コロナ放電１７近傍の酸素１８がイオン化され、同図（ｂ）に示すように負に帯電する。負の電気を帯びた酸素１８ａが空気中の微少な水分１９と結合すると、同図（ｃ）に示すようにマイナスイオン１９ａが生成される。生成されたマイナスイオン１９ａは、電源部１４内部に設けられた送風機によって同図（ｄ）に示すようにマイナスイオン発生手段１３の外部に放出される。
【００２７】
こうしてマイナスイオン発生手段１３からキャンセルシュート１２内部に流出したマイナスイオン１９ａは、キャンセルシュート１２により払出口５まで導かれて、スロットマシン１の外部に放出される。マイナスイオンは、血液の浄化作用、新陳代謝の活性化と抵抗力の増進作用を持ち、自然治癒力を高めるものと考えられている。また、体液や細胞、神経によい影響を与え、臓器や組織の機能を良好にし、自律神経と内分泌機能のバランスを調整すると考えられている。従って、こうして放出されたマイナスイオン１９ａを遊技者が吸い込むことで、遊技者の血液中の酸素濃度が増加すると共に、眠気や疲労を助長する神経伝達物質「セロトニン」は減少すると考えられる。
【００２８】
このような本発明の第１の実施形態によるスロットマシン１によれば、上述したように、遊技者はマイナスイオン発生手段１３を内蔵したスロットマシン１に対面して遊技を行うため、呼吸の度にマイナスイオン１９ａを含んだ空気を吸い込むことになる。このため、遊技者は、パチンコ店内の狭い空間で長時間続けて遊技してもマイナスイオン１９ａの作用によってストレスが蓄積しにくくなり、また、眠気や疲労を感じ難くなって遊技への集中力も持続する。また、隣の遊技台から煙草の煙などが流れ込んで来ても、マイナスイオン１９ａの作用によって煙草の煙が除去，消臭されるため、パチンコ店での遊技が健康的でないと遊技者に感じ難くさせることが出来る。
【００２９】
また、本実施形態では、マイナスイオン発生手段１３が、高電圧が印加された放電電極１５と円錐台形状電極１６との間に生じるコロナ放電１７を用いてマイナスイオン１９ａを発生しているため、マイナスイオン発生手段１３は、コロナ放電方式を用いることで他の方式によるマイナスイオン発生手段よりもコンパクトになる。このため、マイナスイオン発生手段１３はスロットマシン１の本体内部に邪魔にならずに設けられ、マイナスイオン発生手段１３の取付位置の自由度は大きくなる。
【００３０】
また、本実施形態では、スロットマシン１において、適合しないメダルを払出口５に導くキャンセルシュート１２にマイナスイオン発生手段１３が備えられており、マイナスイオン発生手段１３により発生するマイナスイオン１９ａを払出口５から放出するため、既存のスロットマシン１のキャンセルシュート１２にマイナスイオン発生手段１３を取り付けることで、マイナスイオン発生手段１３及び吹出口を備えるスロットマシン１を簡単に製作することが出来る。このため、マイナスイオン発生手段１３をスロットマシン１に導入する時の製作コストを低くすることが出来る。
【００３１】
また、払出口５は一般的に遊技者の前面下方に位置するため、マイナスイオン１９ａは、払出口５から遊技中の遊技者のすぐ前に流出してくる。このため、マイナスイオン１９ａは遊技者に向けて効率的に放出され、遊技者は、発生したマイナスイオン１９ａの多くを体に取り込むことが出来、マイナスイオン１９ａが遊技者に与える健康増進作用は向上する。また、払出口５は一般的に灰皿７の近くに位置するため、マイナスイオン１９ａによる煙草の煙の除去，消臭作用も向上する。
【００３２】
次に、本発明による遊技機をパチンコ機に適用した第２の実施形態について説明する。
【００３３】
図４は本実施形態によるパチンコ機２０を示す正面図であり、図５は図４のＶ−Ｖ線一部破断矢視断面図である。
【００３４】
パチンコ機２０は、正面上部に遊技盤面２１を備え、正面下部には遊技媒体であるパチンコ球を貯留する上皿２２及び下皿２３が設けられている。下皿２３の右方には操作ハンドル２４が設けられており、下皿２３の左方には遊技者の吸った煙草の灰が捨てられる灰皿２５が設けられている。
【００３５】
上皿２２の左方下部には、マイナスイオン発生手段２６が図５に示すように内蔵されている。このマイナスイオン発生手段２６は、高電圧が印加された電極間に生じるコロナ放電を用いてマイナスイオンを空気中に発生する。また、上皿２２の左方下部表面には、発生したマイナスイオンを外部に放出するための吹出口２７が形成されている。マイナスイオン発生手段２６は、上述した第１の実施形態の図３に示すマイナスイオン発生手段１３と同じ構造をしている。
【００３６】
上記の構成において、遊技は、上皿２２にパチンコ球が貯留された状態で、遊技者が操作ハンドル２４を回すことで開始される。遊技者が操作ハンドル２４を回すと図示しない球発射装置によってパチンコ球が遊技領域内に打ち込まれ、障害釘などに弾かれながら遊技盤面２１を流下する。パチンコ球が遊技盤面２１を流下する最中に遊技盤面２１に設けられた入賞口に入ると、所定個数の賞球が払い出されて上皿２２に貯留される。また、遊技領域に打ち込まれたパチンコ球がいずれの入賞口にも入らなかった場合には、パチンコ球は遊技盤面２１の下部にあるアウト口に集められて回収される。
【００３７】
このように遊技者がパチンコ機２０で遊技している最中、マイナスイオン発生手段２６にはコロナ放電が生じており、図３（ａ）〜（ｄ）に示すのと同様に、コロナ放電によりイオン化されて負に帯電した酸素１８ａと空気中の水分１９とが結合してマイナスイオン１９ａが生成される。こうして生成されたマイナスイオン１９ａは吹出口２７から流出してきて、遊技中の遊技者に向けて放出される。放出されたマイナスイオン１９ａを遊技者が吸い込むことで、遊技者の血液中の酸素濃度が増加すると共に、眠気や疲労を助長する神経伝達物質「セロトニン」は減少すると考えられる。
【００３８】
このような本発明の第２の実施形態によるパチンコ機２０によれば、上述した第１の実施形態におけるスロットマシン１のときと同様に、遊技者は、呼吸の度にマイナスイオン１９ａを含んだ空気を吸い込むことになるため、パチンコ店内の狭い空間で長時間続けて遊技してもマイナスイオン１９ａの作用によってストレスが蓄積しにくくなり、また、眠気や疲労を感じ難くなって遊技への集中力も持続する。また、隣の遊技台から煙草の煙などが流れ込んで来ても、マイナスイオン１９ａの作用によって煙草の煙が除去，消臭されるため、パチンコ店での遊技が健康的でないと遊技者に感じ難くさせることが出来る。
【００３９】
また、上述した第１の実施形態におけるスロットマシン１と同様にコロナ放電方式を用いることで、マイナスイオン発生手段２６は他の方式によるマイナスイオン発生手段よりもコンパクトになる。このため、マイナスイオン発生手段２６はパチンコ機２０本体内部に邪魔にならずに設けることが出来、マイナスイオン発生手段２６の取付位置の自由度は大きくなる。
【００４０】
また、パチンコ機２０において、マイナスイオン発生手段２６がパチンコ球を貯留する上皿２２の内部に備えられており、この上皿２２の表面にマイナスイオン１９ａを放出する吹出口２７が形成されているため、既存のパチンコ機２０の上皿２２の内部にマイナスイオン発生手段２６を取り付けることで、マイナスイオン発生手段２６を備えるパチンコ機を簡単に製作することが出来る。このため、マイナスイオン発生手段２６をパチンコ機２０に導入する時の製作コストを低くすることが出来る。
【００４１】
また、上皿２２が遊技者の前面下方に位置するため、マイナスイオン１９ａは、吹出口２７から遊技中の遊技者のすぐ前に流出してくる。このため、上述した第１の実施形態によるスロットマシン１と同様に、マイナスイオン１９ａが遊技者に与える健康増進作用は向上する。また、上皿２２は一般的に灰皿２５の近くに位置するため、マイナスイオン１９ａによる煙草の煙の除去，消臭作用も向上する。
【００４２】
なお、上述した第２の実施形態ではマイナスイオン発生手段２６を上皿２２の内部に設けた場合について説明したが、下皿２３の内部にマイナスイオン発生手段２６を設けることも出来、この場合においても上述した実施形態と同様な作用効果が奏される。また、上述した各実施形態においては、本発明をスロットマシン１及びパチンコ機２０に適用した場合について説明したが、スロットマシンやパチンコ機以外の遊技機にも同様に本発明を適用することが出来、この場合においても上述した各実施形態と同様な作用効果が奏される。
【００４３】
【発明の効果】
以上説明したように本発明による遊技機によれば、遊技者はマイナスイオン発生手段を内蔵した遊技機に対面して遊技を行うため、呼吸の度にマイナスイオンを含んだ空気を吸い込むことになる。このため、遊技者は、狭い空間で長時間続けて遊技してもマイナスイオンの作用によってストレスが蓄積しにくくなり、また、眠気や疲労を感じ難くなって遊技への集中力も持続する。また、隣の遊技台から煙草の煙などが流れ込んで来ても、マイナスイオンの作用によって煙草の煙が除去，消臭されるため、遊技店での遊技が健康的でないと遊技者に感じ難くさせることが出来る。
【００４４】
また、マイナスイオン発生手段が、高電圧が印加された電極間に生じるコロナ放電を用いてマイナスイオンを発生する構成の場合、マイナスイオン発生手段は、コロナ放電方式を用いることで他の方式によるマイナスイオン発生手段よりもコンパクトになる。このため、マイナスイオン発生手段は機器本体内部に邪魔にならずに設けられ、マイナスイオン発生手段取付位置の自由度は大きくなる。
【００４５】
また、回胴式遊技機において、マイナスイオン発生手段が、適合しない遊技媒体を払出口に導くキャンセルシュートに備えられており、マイナスイオン発生手段により発生するマイナスイオンを払出口から放出する構成の場合、既存の回胴式遊技機のキャンセルシュートにマイナスイオン発生手段を取り付けることで、マイナスイオン発生手段及び吹出口を備える回胴式遊技機を簡単に製作することが出来る。このため、マイナスイオン発生手段を回胴式遊技機に導入する時の製作コストを低くすることが出来る。
【００４６】
また、払出口は一般的に遊技者の前面下方に位置するため、マイナスイオンは、払出口から遊技中の遊技者のすぐ前に流出してくる。このため、マイナスイオンは遊技者に向けて効率的に放出され、遊技者は、発生したマイナスイオンの多くを体に取り込むことが出来、マイナスイオンが遊技者に与える健康増進作用は向上する。また、払出口は一般的に灰皿の近くに位置するため、マイナスイオンによる煙草の煙の除去，消臭作用も向上する。
【００４７】
また、弾球遊技機において、マイナスイオン発生手段が遊技媒体を貯留する皿の内部に備えられている場合、既存の弾球遊技機の皿にマイナスイオン発生手段を取り付けることで、マイナスイオン発生手段を備える弾球遊技機を簡単に製作することが出来る。このため、マイナスイオン発生手段を弾球遊技機に導入する時の製作コストを低くすることが出来る。
【００４８】
また、皿が遊技盤面の直下に設けられた上皿であり、この上皿の表面にマイナスイオンを放出する吹出口を備えている場合、上皿が遊技者の前面下方に位置するため、マイナスイオンは、吹出口から遊技中の遊技者のすぐ前に流出してくる。このため、マイナスイオンは遊技者に向けて効率的に放出され、遊技者は、発生したマイナスイオンの多くを体に取り込むことが出来、マイナスイオンが遊技者に与える健康増進作用は向上する。また、上皿は一般的に灰皿の近くに位置するため、マイナスイオンによる煙草の煙の除去，消臭作用も向上する。
【図面の簡単な説明】
【図１】本発明の第１の実施形態によるスロットマシンを示す斜視図である。
【図２】本発明の第１の実施形態によるスロットマシンのフロントドアの背面側を示す一部破断斜視図である。
【図３】本発明の第１の実施形態によるスロットマシンにおけるマイナスイオン発生手段を示す断面図であり、同図（ａ）はコロナ放電の発生時、同図（ｂ）は空気中の酸素が負に帯電した時、同図（ｃ）は負に帯電した酸素と空気中の水分とが結合してマイナスイオンが生成された時、同図（ｄ）は送風機によってマイナスイオンが放出された時を示している。
【図４】本発明の第２の実施形態によるパチンコ機を示す正面図である。
【図５】図４のＶ−Ｖ線一部破断矢視断面図である。
【符号の説明】
１…スロットマシン
３…フロントドア
５…払出口
７、２５…灰皿
１２…キャンセルシュート
１３、２６…マイナスイオン発生手段
１５…放電電極
１６…円錐台形状電極
１７…コロナ放電
１８…酸素
１８ａ…負に帯電した酸素１８
１９…水分
１９ａ…マイナスイオン
２０…パチンコ機
２１…遊技盤面
２２…上皿
２３…下皿
２７…吹出口
【図１】
2004065277.tif 000003
【図２】
2004065277.tif 000004
【図３】
2004065277.tif 000005
【図４】
2004065277.tif 000006
【図５】
2004065277.tif 000007